【手続補正書】
【提出日】平成26年6月13日(2014.6.13)
【手続補正１】
【補正対象書類名】特許請求の範囲
【補正対象項目名】全文
【補正方法】変更
【補正の内容】
【特許請求の範囲】
【請求項１】
筺体に対して開閉可能な第１の開閉カバー、及び第２の開閉カバーを有し、
前記第１の開閉カバー、及び前記第２の開閉カバーは、
前記第２の開閉カバーが全閉状態である間、前記第１の開閉カバーが開閉し、前記第１の開閉カバーが全閉状態である間、前記第２の開閉カバーが開状態から全閉状態にできないように設けられ、
前記第２の開閉カバーが開状態である場合に、前記第１の開閉カバーの全閉状態への操作に対して、前記第１の開閉カバーが全閉位置及び全開位置から離間する離間位置で前記第１の開閉カバーを停止させる規制機構を備え、
前記第１の開閉カバーが離間位置にあるとき、前記第２の開閉カバーは開閉可能である、
ことを特徴とするカバー開閉順序規制機構。
【請求項２】
前記第１の開閉カバーを、前記離間位置から全開位置前までの間で保持する保持機構、
をさらに備えることを特徴とする請求項１に記載のカバー開閉順序規制機構。
【請求項３】
前記第１の開閉カバーを、前記離間位置で保持する保持機構、
をさらに備えることを特徴とする請求項１に記載のカバー開閉順序規制機構。
【請求項４】
前記規制機構は、
前記第１の開閉カバーに形成される第１の当接部と、
突き出しストッパを含み、前記筺体に回動可能に取り付けられ、規制位置と非規制位置との間で回動可能である第１の回動部材と、
前記規制位置に向けて前記第１の回動部材を付勢する第１の付勢力付与部材とで構成され、
前記突き出しストッパは、
前記第１の回動部材が規制位置で止まっている状態で、前記第１の開閉カバーの閉鎖動作のなかで前記第１の当接部に当接することによって前記第１の開閉カバーを前記離間位置で衝止するように設けられており、
また、前記第１の回動部材が非規制位置で止まっている状態で、前記第１の開閉カバーの閉鎖動作のなかで前記第１の当接部に当接することなく前記第１の開閉カバーが完全に閉鎖することを許容するように設けられている、
ことを特徴とする請求項１に記載のカバー開閉順序規制機構。
【請求項５】
前記第２の開閉カバーは、第２の当接部を有し、
前記第２の開閉カバーの前記第２の当接部は、前記第２の開閉カバーが完全に閉鎖する位置に向かう前記第２の開閉カバーの閉鎖動作のなかで、前記第１の回動部材に当接することによって前記第１の付勢力付与部材の付勢力に対して前記第１の回動部材が前記非規制位置に回転させるように設けられている、
ことを特徴とする請求項４に記載のカバー開閉順序規制機構。
【請求項６】
前記第２の開閉カバーの前記第２の当接部は、
前記第２の開閉カバーの前記第１の回動部材に対向する位置に形成される突出部として設けられている、
ことを特徴とする請求項５に記載のカバー開閉順序規制機構。
【請求項７】
前記保持機構は、
前記第１の開閉カバーに形成される第１の係合部と、
前記筺体に固着される第１端部と、前記第１端部の反対側の自由端である第２端部と、前記第１端部と前記第２端部との間に前記第１の開閉カバーの前記第１の係合部と係合するように設けられている第２の係合部と、を有する、
ことを特徴とする請求項２に記載のカバー開閉順序規制機構。
【請求項８】
前記第１の付勢力付与部材は、弾性体である、ことを特徴とする請求項４に記載のカバー開閉順序規制機構。
【請求項９】
前記第１の付勢力付与部材は、コイルばねである、ことを特徴とする請求項８に記載のカバー開閉順序規制機構。
【請求項１０】
前記保持機構は、板ばねである、ことを特徴とする請求項７に記載のカバー開閉順序規制機構。
【請求項１１】
前記第１の開閉カバーに形成される第３の係合部と、
係合位置で前記第３の係合部に係合し、脱離位置で前記第３の係合部から脱離するように、前記筺体に回動可能に取り付けられ、係合位置と脱離位置との間で回動可能である第２の回動部材と、
前記第２の開閉カバーが開状態の間、前記第２の回動部材を係合位置に向けて付勢するように設けられる第２の付勢力付与部材と、を有する保持機構を備える、
ことを特徴とする請求項４に記載のカバー開閉順序規制機構。
【請求項１２】
前記第１の付勢力付与部材および前記第２の付勢力付与部材は、弾性体である、ことを特徴とする請求項１１に記載のカバー開閉順序規制機構。
【請求項１３】
前記第１の付勢力付与部材および前記第２の付勢力付与部材は、コイルばねである、ことを特徴とする請求項１２に記載のカバー開閉順序規制機構。
【請求項１４】
筺体に対して開閉可能な第１の開閉カバー、及び第２の開閉カバーを有し、前記第２の開閉カバーが全閉状態のときに前記第１の開閉カバーの開閉を許容し、前記第１の開閉カバーが全閉状態のときに前記第２の開閉カバーの開閉を許容しない構造、を含む装置のカバー開閉順序規制方法であって、
前記第２の開閉カバーが開状態において、前記第１の開閉カバーを完全に閉まる全閉位置へと閉鎖する操作で、全閉位置と完全に開く全開位置とから離間する離間位置で前記第１の開閉カバーが停止し、前記第１の開閉カバーが離間位置にあるときに前記第２の開閉カバーが開閉可能である、
ことを特徴とするカバー開閉順序規制方法。
【請求項１５】
前記第１の開閉カバーが離間位置である間に、一度、前記第２の開閉カバーが開位置から完全に閉じることで、前記第１の開閉カバーの停止を解除して完全に閉じることを可能にする、
ことを特徴とする請求項１４に記載のカバー開閉順序規制方法。
【請求項１６】
請求項１に記載のカバー開閉順序規制機構を備えることを特徴とする画像形成装置。
【請求項１７】
露光して静電潜像を形成するために設けられる露光ユニットと、
現像剤で前記静電潜像を現像することで現像剤像を形成するために設けられる現像ユニットと、
媒体に前記現像剤像を転写するために設けられる転写ユニットと、
前記媒体に前記現像剤像を定着するために設けられる定着ユニットと、をさらに有する、
ことを特徴とする請求項１６に記載の画像形成装置。
【請求項１８】
前記第１の開閉カバーは、前記筺体の前面に位置するフロントカバーであり、
前記第２の開閉カバーは、前記筺体の上面に位置するトップカバーであり、
前記第１の開閉カバーは、上端部とその上端部から後方に延在し、前記第２の開閉カバーの前端に近接する延在部とを備え、
所定の色の現像ユニットが、前記筺体内部の前記延在部の下方に着脱自在に設けられ、
前記第２の開閉カバーが閉じた状態であり、かつ、前記第１の開閉カバーが開いた状態である間に特定の色の前記現像ユニットを前記筺体から着脱できる、
ことを特徴とする請求項１６に記載の画像形成装置。
【請求項１９】
前記現像ユニットの像担持体上に静電潜像を形成する露光ユニットをさらに有し、
前記露光ユニットは、前記第２の開閉カバーの前端近傍の内面に設けられている、
ことを特徴とする請求項１８に記載の画像形成装置。
【請求項２０】
前記第１の開閉カバーを完全に閉じる位置でロックするために設けられる第１ロック機構と、
前記第２の開閉カバーを完全に閉じる位置でロックするために設けられる第２ロック機構と、
前記第１ロック機構のロックを開放するために設けられる第１操作部と、
前記第２ロック機構のロックを開放するために設けられる第２操作部と、を備え、
前記第２操作部は、前記第１の開閉カバー及び前記第２の開閉カバーが全閉状態の間、前記第１の開閉カバーの背面に隠される、
ことを特徴とする請求項１８に記載の画像形成装置。
【手続補正２】
【補正対象書類名】明細書
【補正対象項目名】０００６
【補正方法】変更
【補正の内容】
【０００６】
前記目的を達成するため、本発明に係るカバー開閉順序規制機構は、筺体に対して開閉可能な第１の開閉カバー、及び第２の開閉カバーを有し、前記第１の開閉カバー、及び前記第２の開閉カバーは、前記第２の開閉カバーが全閉状態である間、前記第１の開閉カバーが開閉し、前記第１の開閉カバーが全閉状態である間、前記第２の開閉カバーが開状態から全閉状態にできないように設けられ、前記第２の開閉カバーが開状態である場合に、前記第１の開閉カバーの全閉状態への操作に対して、前記第１の開閉カバーが全閉位置及び全開位置から離間する離間位置で前記第１の開閉カバーを停止させる規制機構を備え、前記第１の開閉カバーが離間位置にあるとき、前記第２の開閉カバーは開閉可能である、ことを特徴とする。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
また、本発明に係るカバー開閉順序規制方法は、筺体に対して開閉可能な第１の開閉カバー、及び第２の開閉カバーを有し、前記第２の開閉カバーが全閉状態のときに前記第１の開閉カバーの開閉を許容し、前記第１の開閉カバーが全閉状態のときに前記第２の開閉カバーの開閉を許容しない構造、を含む装置のカバー開閉順序規制方法であって、前記第２の開閉カバーが開状態において、前記第１の開閉カバーを完全に閉まる全閉位置へと閉鎖する操作で、全閉位置と完全に開く全開位置とから離間する離間位置で前記第１の開閉カバーが停止し、前記第１の開閉カバーが離間位置にあるときに前記第２の開閉カバーが開閉可能である、ことを特徴とする。